(57)【要約】 【課題】光の輝度を増加させながらバックライトアセンブリの厚さをより減少させることができるバックライトアセンブリを提供する。【解決手段】第１方向に沿って並列に配置され、その各々が、一側から他側に行くにつれて厚さが減少するくさび形状を有する導光板と該導光板の側面と対向するように配置された光源ユニットとを含む複数の導光ブロックと、前記導光ブロックの光源ユニットを領域輝度制御（ｌｏｃａｌ  ｄｉｍｍｉｎｇ）方式で各々個別に駆動させて発光させる光源駆動ユニットとを有する。【選択図】      図２
2009283465.tif 000002
【特許請求の範囲】
【請求項１】
第１方向に沿って並列に配置され、その各々が、一側から他側に行くにつれて厚さが減少するくさび形状を有する導光板と該導光板の側面と対向するように配置された光源ユニットとを含む複数の導光ブロックと、
前記導光ブロックの光源ユニットを領域輝度制御（ｌｏｃａｌ  ｄｉｍｍｉｎｇ）方式で各々個別に駆動させて発光させる光源駆動ユニットとを有することを特徴とするバックライトアセンブリ。
【請求項２】
前記導光ブロックの導光板の各々は、前記第１方向と実質的に直交する第２方向に長く延長された形状を有することを特徴とする請求項１記載のバックライトアセンブリ。
【請求項３】
前記導光ブロックは、前記第１方向及び前記第１方向と実質的に直交する第２方向に沿ってマトリックス形態に配列されることを特徴とする請求項１記載のバックライトアセンブリ。
【請求項４】
前記光源ユニットは、少なくとも１つの発光ユニットが配置された駆動基板を含み、前記発光ユニットは前記導光板の側面と対向するように配置されることを特徴とする請求項１記載のバックライトアセンブリ。
【請求項５】
前記駆動基板は、前記導光板と重畳するように前記導光板の下部に配置されることを特徴とする請求項４記載のバックライトアセンブリ。
【請求項６】
前記少なくとも１つの発光ユニットは、前記第１方向と実質的に直交する第２方向に沿って前記駆動基板上に並列に配置された複数の発光チップを含むことを特徴とする請求項４記載のバックライトアセンブリ。
【請求項７】
前記導光板は、入光面から該入光面と対向する対向面に近づくにつれて厚さが減少するくさび形状を有する導光ボディ部と、
前記導光ボディ部の入光面から突出して前記光源ユニットと対向するように配置される光導入ボディ部とを含むことを特徴とする請求項１記載のバックライトアセンブリ。
【請求項８】
前記光導入ボディ部は、隣接する他の導光板の導光ボディ部の対向面の下部に配置されることを特徴とする請求項７記載のバックライトアセンブリ。
【請求項９】
前記導光ボディ部は、前記入光面の一辺及び前記対向面の一辺を接続して光が出射される出射面と前記出射面と対向して光を反射させる反射面とを含み、
前記出射面には、前記第１方向に沿って長く延長され前記第１方向と実質的に直交する第２方向に沿って並列に配置された複数の第１プリズムパターンが形成され、
前記反射面には前記第２方向に沿って長く延長され前記第１方向に沿って並列に配置された複数の第２プリズムパターンが形成されることを特徴とする請求項７記載のバックライトアセンブリ。
【請求項１０】
前記導光ブロックは、一体に形成されることを特徴とする請求項１記載のバックライトアセンブリ。
【発明の詳細な説明】
【技術分野】
【０００１】
本発明は、バックライトアセンブリに関し、より詳しくは、光の輝度を増加させながら厚さをより減少させることができるバックライトアセンブリに関する。
【背景技術】
【０００２】
一般的に、液晶表示装置は光を利用して画像を表示する液晶表示パネル及び液晶表示装置の下部に配置されて液晶表示パネルに光を提供するバックライトアセンブリを含む。
【０００３】
液晶表示パネルは、薄膜トランジスタ及び薄膜トランジスタと電気的に接続された画素電極を具備する第１基板、画素電極と対応するカラーフィルタ及び基板前面に形成された共通電極を具備する第２基板、及び第１基板と第２基板との間に介在する液晶層を含む。
【０００４】
バックライトアセンブリは、収納容器内に並列に配置された複数のランプ、及びランプの上部に配置されてランプから発生した光の特性を向上させる光学部材を含む。光学部材は光を拡散させて輝度均一性を向上させる拡散板を含む。
【０００５】
光学部材は光の拡散効率を増加させるために一般的にランプから上部へ離隔して配置される。しかし、光学部材がランプから上部へ離隔して配置されることによって、バックライトアセンブリの厚さが増加してしまうという問題点が発生する。
【発明の概要】
【発明が解決しようとする課題】
【０００６】
そこで、本発明は上記従来のバックライトアセンブリにおける問題点に鑑みてなされたものであって、本発明の目的は、光の輝度を増加させながらその厚さをより減少させることができるバックライトアセンブリを提供することにある。
【課題を解決するための手段】
【０００７】
上記目的を達成するためになされた本発明によるバックライトアセンブリは、第１方向に沿って並列に配置され、その各々が、一側から他側に行くにつれて厚さが減少するくさび形状を有する導光板と該導光板の側面と対向するように配置された光源ユニットとを含む複数の導光ブロックと、前記導光ブロックの光源ユニットを領域輝度制御（ｌｏｃａｌ  ｄｉｍｍｉｎｇ）方式で各々個別に駆動させて発光させる光源駆動ユニットとを有することを特徴とする。
【０００８】
前記導光ブロックの導光板の各々は、前記第１方向と実質的に直交する第２方向に長く延長された形状を有することが好ましい。
前記導光ブロックは、前記第１方向及び前記第１方向と実質的に直交する第２方向に沿ってマトリックス形態に配列されることが好ましい。
前記光源ユニットは、少なくとも１つの発光ユニットが配置された駆動基板を含み、前記発光ユニットは前記導光板の側面と対向するように配置されることが好ましい。
前記駆動基板は、前記導光板と重畳するように前記導光板の下部に配置されることが好ましい。
前記少なくとも１つの発光ユニットは、前記第１方向と実質的に直交する第２方向に沿って前記駆動基板上に並列に配置された複数の発光チップを含むことが好ましい。
【０００９】
前記導光板は、入光面から該入光面と対向する対向面に近づくにつれて厚さが減少するくさび形状を有する導光ボディ部と、前記導光ボディ部の入光面から突出して前記光源ユニットと対向するように配置される光導入ボディ部とを含むことが好ましい。
前記光導入ボディ部は、隣接する他の導光板の導光ボディ部の対向面の下部に配置されることが好ましい。
前記導光ボディ部は、前記入光面の一辺及び前記対向面の一辺を接続して光が出射される出射面と前記出射面と対向して光を反射させる反射面とを含み、前記出射面には、前記第１方向に沿って長く延長され前記第１方向と実質的に直交する第２方向に沿って並列に配置された複数の第１プリズムパターンが形成され、前記反射面には前記第２方向に沿って長く延長され前記第１方向に沿って並列に配置された複数の第２プリズムパターンが形成されることが好ましい。
前記導光ブロックは、一体に形成されることが好ましい。
【発明の効果】
【００１０】
本発明に係るバックライトアセンブリによれば、第１方向または第２方向に沿って並列に配列された導光ブロック各々がくさび形状の導光板及び導光板の側面に光源ユニットを含んで光を上部に出射することによって、光の輝度を増加させながらバックライトアセンブリの厚さをより減少させることができるという効果がある。
【図面の簡単な説明】
【００１１】
【図１】本発明の第１の実施形態による表示装置を示す斜視図である。
【図２】図１のＩ−Ｉ’線に沿って切断した断面図である。
【図３】図２の導光ブロックを示す平面図である。
【図４】図３のＩＩ−ＩＩ’線に沿って切断した断面図である。
【図５】図３のＩＩ−ＩＩ’線に沿って切断した断面図である。
【図６】本発明の第２の実施形態による表示装置のうち、導光ブロックを示す平面図である。
【図７】図６の導光ブロックの一部を示す斜視図である。
【図８】図６の導光ブロックのうち、光源ユニットの電気的な接続関係を概念的に示す平面図である。
【図９】図８のＡ部分を拡大して示した平面図である。
【図１０】本発明の第３の実施形態による表示装置のうち、導光ブロックを示す斜視図である。
【図１１】図１０の導光ブロックをＢ方向から眺めた際の側面図である。
【図１２】図１０の導光ブロックをＢ方向から眺めた際の側面図である。
【発明を実施するための形態】
【００１２】
次に、本発明に係るバックライトアセンブリを実施するための形態の具体例を図面を参照しながら説明する。
【００１３】
本発明は多様な変更を加えることができ、様々な形態を有することができるため、特定実施例を図面に例示し、本明細書に詳しく説明する。しかし、これは本発明を特定の開示形態に対して限定しようとすることではなく、本発明の思想及び技術範囲に含まれる全ての変更、均等物、ないしは代替物を含むことと理解されるべきである。
【００１４】
各図面を説明しながら類似する参照符号を、類似する構成要素に対して使用した。図面において、構造物のサイズは本発明の明確性に基づくために実際より拡大して示した。
【００１５】
第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００１６】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。
【００１７】
また、別に定義しない限り、技術的或いは科学的用語を含んで、ここにおいて使用される全ての用語は本発明が属する技術分野で通常の知識を有する者であれば、一般的に理解されることと同一な意味を有する。一般的に使用される辞書において定義する用語と同じ用語は関連技術の文脈上に有する意味と一致する意味を有することと理解されるべきで、本明細書において明白に定義しない限り、理想的或いは形式的な意味として解釈しない。
【００１８】
図１は、本発明の第１の実施形態による表示装置を示す斜視図であり、図２は、図１のＩ−Ｉ’線に沿って切断した断面図である。
【００１９】
図１及び図２を参照すると、本実施形態による表示装置ＤＤは、バックライトアセンブリＢＬ、モールドフレーム７００、表示パネル８００、及びトップシャーシ９００を含む。
バックライトアセンブリＢＬは、収納容器１００、複数の導光ブロックＬＢ、光源駆動ユニット５００、及び光学部材６００を含むことができる。
【００２０】
収納容器１００は、収納底部１１０及び収納底部１１０の端部から上方に延長された収納側部１２０を含む。収納容器１００は導光ブロックＬＢを収納する。
【００２１】
導光ブロックＬＢは、収納容器１００内に並列に配置されて、光を上方に出射させる。
導光ブロックＬＢ各々は導光板２００、光源ユニット３００、及び反射シート４００を含む。
【００２２】
導光板２００は、一側から他側に行くにつれて厚さが減少されるくさび形状を有する。
光源ユニット３００は、導光板２００の側面と対向するように配置され、光を発生させて導光板２００内に入射させる。光源ユニット３００は、例えば、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極蛍光ランプ（Ｈｏｔ  Ｃａｔｈｏｄｅ  Ｆｌｕｏｒｅｓｃｅｎｔ  Ｌａｍｐ：ＨＣＦＬ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）、及び点形態の光を発生させる発光ダイオード（Ｌｉｇｈｔ  Ｅｍｉｔｔｉｎｇ  Ｄｉｏｄｅ）のうちの何れかの１つを含むことができる。
反射シート４００は、導光板２００の下部に配置され、導光板２００内に入射された光のうち、導光板２００の下部に向かう光を反射させる。
【００２３】
光源駆動ユニット５００は、導光ブロックＬＢの光源ユニット３００と各々電気的に接続されている。光源駆動ユニット５００は光源ユニット３００を領域輝度制御（ｌｏｃａｌ  ｄｉｍｍｉｎｇ）方式で個別に制御して発光させる。
例えば、光源駆動ユニット５００は、光源ユニット３００のうちの一部を選択して所望する輝度に発光させることができる。例えば、光源駆動ユニット５００は、光源ユニット３００のうち、ブラック画像を表示する領域と対応する位置に配置された光源ユニットを発光しないように制御できる。
【００２４】
光源駆動ユニット５００は、収納容器１００の下部、即ち収納底部１１０の外側面に配置できる。しかし、これとは別に、光源駆動ユニット５００は収納容器１００内に配置するか、または収納側部１２０の外側面または内側面に配置することもできる。
【００２５】
光学部材６００は、導光ブロックＬＢの上部に配置され、導光ブロックＬＢから出射された光の光学特性を向上させる。光学部材６００は、例えば、拡散シート、プリズムシートなどを含むことができる。
【００２６】
モールドフレーム７００は、収納容器１００の縁に沿って配置される。即ち、モールドフレーム７００は、収納側部１２０に沿って収納容器１００の上部に配置することができる。
【００２７】
表示パネル８００は、モールドフレーム７００上に安着され、光学部材６００から出射された光を利用して画像を表示する。表示パネル８００は、第１基板８１０、第１基板８１０と対向する第２基板８２０、及び第１基板８１０と第２基板８２０との間に介在する液晶層（図示せず）を含む。
【００２８】
第１基板８１０は信号線、信号線と電気的に接続された薄膜トランジスタ、及び薄膜トランジスタと電気的に接続された画素電極を含む。第２基板８２０は、画素電極と対応する位置に配置されたカラーフィルタ及び基板前面に形成された共通電極を含む。液晶層の光透過率は画素電極と共通電極との間に形成された電場によって変更させることができる。
【００２９】
また、表示パネル８００は、第１基板８１０の下部に配置された第１偏光板８３０及び第２基板８２０の上部に配置された第２偏光板８４０をさらに含む。第１及び第２偏光板８３０、８４０は互いに実質的に直交する偏光軸を有する。
【００３０】
トップシャーシ９００は、表示パネル８００の縁をカバーしつつ収納容器１００と結合して表示パネル８００を固定させる。例えば、トップシャーシ９００は、収納側部１２０と結合して表示パネル８００の縁を加圧し、それによって表示パネル８００が外部からの衝撃によって離脱することを防ぐことができる。
【００３１】
図３は、図２の導光ブロックを示した平面図であり、図４及び図５は、図３のＩＩ−ＩＩ’線に沿って切断した断面図である。
【００３２】
図３及び図４を参照すると、本実施形態による導光ブロックＬＢは、第１方向ＤＩ１に沿って並列に配置される。例えば、１６個の導光ブロックＬＢが第１方向ＤＩ１に沿って並列に配列される。導光ブロックＬＢ各々は第１方向ＤＩ１と実質的に直交する第２方向ＤＩ２に沿って長く延長された形状を有する。
【００３３】
導光ブロックＬＢ各々は、導光板２００、光源ユニット３００、及び反射シート４００を含む。
導光板２００は、導光ボディ部２１０及び光導入ボディ部２２０を含む。導光ボディ部２１０は、光が入射する入光面から入光面と対向する対向面に行くにつれて厚さが減少するくさび形状を有する。
【００３４】
光導入ボディ部２２０は、導光ボディ部２１０の入光面から突出して光源ユニット３００と対向するように配置される。本実施形態では、光導入ボディ部２２０は隣接する他の導光板２００の導光ボディ部２１０の対向面の下部に配置される。
【００３５】
光源ユニット３００は、光導入ボディ部２２０と対向するように配置され、光を発生させて光導入ボディ部２２０に入射させる。光導入ボディ部２２０に入射された光は導光ボディ部２１０によってガイドされて導光ボディ部２１０の上部に出射される。
【００３６】
光源ユニット３００は、例えば、駆動基板３１０、及び少なくとも１つの発光チップ３２０を含むことができる。
【００３７】
駆動基板３１０は、第２方向ＤＩ２に延長された形状を有し、光源駆動ユニット５００と電気的に接続される。ここで、駆動基板３１０は、図４のように光導入ボディ部２２０と重畳しないように光導入ボディ部２２０から第１方向ＤＩ１と反対方向に延長させることができる。
これとは別に、駆動基板３１０は、図５のように光導入ボディ部２２０と重畳するように光導入ボディ部２２０の下部に配置することもできる。
【００３８】
ここで、駆動基板３１０は、図５のように光導入ボディ部２２０の下部に配置される場合、表示装置ＤＤの全体厚さは駆動基板３１０の厚さほど増加するが、表示装置ＤＤのベゼルの幅は駆動基板３１０の幅ほど減少させることができる。
【００３９】
発光チップ３２０は、光導入ボディ部２２０の側面と対向するように駆動基板３１０上に配置され、駆動基板３１０によって制御されて光を発生させる。例えば、複数の発光チップ３２０が駆動基板３１０上に第２方向ＤＩ２に沿って並列に配置される。
【００４０】
発光チップ３２０は、白色光を発生させることが好ましい。即ち、発光チップ３２０は白色光を発生させる白色発光ダイオードを含むことが好ましい。これとは別に、発光チップ３２０は、赤光、緑光、及び青光を個別に発生させることもできる。即ち、発光チップ３２０は、赤光を発生させる赤発光ダイオード、緑光を発生される緑光ダイオード、及び青光を発生させる青発光ダイオードを含むこともできる。
【００４１】
反射シート４００は、導光ボディ部２１０の下部及び光導入ボディ部２２０の下部に配置される。
【００４２】
導光ブロックＬＢが第１方向ＤＩ１に沿って並列に配置され、発光チップ３２０が白色光を発生させる場合、光源駆動ユニット５００は、第１方向ＤＩ１に沿って個別に発光させる１次元領域輝度制御方式で導光ブロックＬＢを駆動させることができる。
【００４３】
本実施形態において、第１方向ＤＩ１に沿って並列に配置された導光ブロックＬＢ各々はくさび形状を有する導光板２００、及び導光板２００の側面に配置された光源ユニット３００を含む。それによって、表示装置ＤＤにより表示される画像の輝度は増加して表示装置ＤＤの厚さはより減少させることができる。
【００４４】
又、本実施形態において、導光ブロックＬＢが第１方向ＤＩ１に沿って互いに分離されて並列に配置されることを説明したが、これとは別に、導光ブロックＬＢは第１方向ＤＩ１に沿って互いに接続されて一体型に形成することもできる。即ち、導光ブロックＬＢの導光板２００は互いに接続されて一体型に形成することもできる。
【００４５】
図６は、本発明の第２の実施形態による表示装置のうち、導光ブロックを示す平面図であり、図７は、図６の導光ブロックのうちの一部を示した斜視図である。
【００４６】
本実施形態による表示装置は導光ブロックを除けば、図１〜図５を通じて説明した第１の実施形態による表示装置と実質的に同様であるため、導光ブロック以外の構成要素に対する詳しい説明は省略する。
【００４７】
図６及び図７を参照すると、本実施形態による導光ブロックＬＢは第１方向ＤＩ１及び第１方向ＤＩ１と実質的に直交する第２方向ＤＩ２に沿ってマトリックス形態に配列される。例えば、導光ブロックＬＢは、８行１６列に配列することができる。
【００４８】
導光ブロックＬＢ各々は、導光板２００、光源ユニット３００、及び反射シート４００を含む。
導光板２００は、導光ボディ部２１０及び光導入ボディ部２２０を含む。導光ボディ部２１０は、光が入射する入光面から入光面と対向する対向面に行くにつれて厚さが減少するくさび形状を有する。
【００４９】
光導入ボディ部２２０は、導光ボディ部２１０の入光面から突出して光源ユニット３００と対向するように配置される。本実施形態では、光導入ボディ部２２０は隣接する他の導光板２００の導光ボディ部２１０の対向面の下部に配置される。
【００５０】
光源ユニット３００は、光導入ボディ部２２０と対向するように配置され、光を発生させて光導入ボディ部２２０に入射させる。光源ユニット３００は、例えば、駆動基板３１０、及び少なくとも１つの発光チップ３２０を含む。
【００５１】
駆動基板３１０は、光源駆動ユニット５００と電気的に接続される。発光チップ３２０は光導入ボディ部２２０の側面と対向するように駆動基板３１０上に配置され、駆動基板３１０によって制御されて光を発生させる。発光チップ３２０は、白色光を発生させることが好ましい。即ち、発光チップ３２０は、白色光を発光させる白色発光ダイオードを含むことがが好ましい。
【００５２】
反射シート４００は、導光ボディ部２１０の下部及び光導入ボディ部２２０の下部に配置する。
【００５３】
このように、導光ブロックＬＢが第１及び第２方向（ＤＩ１、ＤＩ２）に沿ってマトリックス形態に配置され、発光チップ３２０が白色光を発生させる場合、光源駆動ユニット５００は、第１及び第２方向（ＤＩ１、ＤＩ２）に沿って個別に発光させる２次元領域輝度制御方式で導光ブロックＬＢを駆動させることができる。
【００５４】
図８は、図６の導光ブロックのうち、光源ユニットの電気的な接続関係を概念的に示した平面図であり、図９は、図８のＡ部分を拡大して示した平面図である。
【００５５】
図８及び図９を参照すると、導光ブロックＬＢ各々は、複数の発光チップ３２０を含む。例えば、導光ブロックＬＢ各々は１４個の発光チップ３２０を含む。ここで、１４個の発光チップ３２０は駆動基板３１０上に第２方向ＤＩ２に沿って並列に配置され、互いに電気的に直列に接続されている。
【００５６】
一方、導光ブロックＬＢの駆動基板３１０は、第２方向ＤＩ２に沿って互いに接続された形状を有することができる。即ち、第２方向ＤＩ２に沿って長く延長された統合駆動基板を各列ごとに配置することができる。
【００５７】
発光チップ３２０各々は、各々、赤光、緑光、及び青光を個別に発生させることができる。即ち、発光チップ３２０各々は、赤光を発生させる赤発光ダイオード３２２、緑光を発生される緑発光ダイオード３２４、及び青光を発生させる青発光ダイオード３２６を含む。
【００５８】
ここで、赤発光ダイオード３２２、緑発光ダイオード３２４、及び青発光ダイオード３２６各々は導光ブロックＬＢごとに電気的に直列に接続されている。
【００５９】
統合駆動基板は、赤電源印加線ＲＰＬ、緑電源印加線ＧＰＬ、及び青電源印加線ＢＰＬからなる電源印加線と、各々が赤発光制御線ＲＣＬ、緑発光制御線ＧＣＬ、及び青発光制御線ＢＣＬからなる複数の発光制御線を含む。ここで、発光制御線は導光ブロックＬＢ各々と個別に接続される。
【００６０】
赤電源印加線ＲＰＬは、互いに直列に接続された赤発光ダイオード３２２の一側と電気的に接続されて電源を供給する。緑電源印加線ＧＰＬは、互いに直列に接続された緑発光ダイオード３２４の一側と電気的に接続されて電源を供給する。青電源印加線ＢＰＬは、互いに直列に接続された青発光ダイオード３２６の一側と電気的に接続されて電源を供給する。
【００６１】
赤発光制御線ＲＣＬは、互いに直列に接続された赤発光ダイオード３２２の他側と電気的に接続されて、赤光が発光する時間を制御できる。緑光制御線ＧＣＬは、互いに直列に接続された緑発光ダイオード３２４の他側と電気的に接続されて、緑光が発光する時間を制御できる。青発光制御線ＢＣＬは、互いに直列に接続された青発光ダイオード３２６の他側と電気的に接続されて、青光が発光する時間を制御できる。
【００６２】
このように、導光ブロックＬＢが第１及び第２方向（ＤＩ１、ＤＩ２）に沿ってマトリックス形態に配置され、発光チップ３２０が赤光、緑光、及び青光を個別に発生させる場合、光源駆動ユニット５００は第１及び第２方向（ＤＩ１、ＤＩ２）に沿って個別に発光させて光を色別かつ個別に制御する３次元領域輝度制御方式で導光ブロックＬＢを駆動させることができる。
【００６３】
本実施形態において、第１及び第２方向（ＤＩ１、ＤＩ２）に沿ってマトリックス形態に配置された導光ブロックＬＢ各々がくさび形状を有する導光板２００及び導光板２００の側面に配置された光源ユニット３００を含む。それによって、表示装置ＤＤより表示される画像の輝度を増加させて、表示装置ＤＤの厚さはより減少させることができる。
【００６４】
図１０は、本発明の第３の実施形態による表示装置のうち、導光ブロックを示す斜視図である。
【００６５】
本実施形態による表示装置は、導光ブロックを除けば、図１〜図５を通じて説明した第１の実施形態による表示装置と実質的に同様であるため、導光ブロック以外の構成要素に対する詳しい説明は省略する。
【００６６】
図１０を参照すると、本実施形態による導光ブロックＬＢは、第１方向ＤＩ１に沿って並列に配置するか、または第１方向ＤＩ１及び第１方向ＤＩ１と実質的に直交する第２方向ＤＩ２に沿ってマトリックス形態に配列することができる。
【００６７】
導光ブロックＬＢ各々は、導光板２００、光源ユニット３００、及び反射シート（図示せず）を含む。導光板２００は、導光ボディ部２１０及び光導入ボディ部２２０を含む。
【００６８】
導光ボディ部２１０は、光が入射する入光面２１２、入光面２１２と対向する対向面２１４、入光面２１２の一辺と対向面２１４の一辺とを接続し光が出射される出射面２１６、及び出射面２１６と対向する反射面２１８を含む。
【００６９】
導光ボディ部２１０は、入光面２１２から対向面２１４に行くにつれて厚さが減少するくさび形状を有する。本実施形態において、反射面２１８は、出射面２１６に対して傾くように形成される。
【００７０】
出射面２１６には、第１方向ＤＩ１に沿って長く延長され、第２方向ＤＩ２に沿って並列に配置された第１プリズムパターン２１６ａが形成される。第１プリズムパターン２１６ａは、第２方向ＤＩ２に沿って密に隣接して配置される。
【００７１】
一方、反射面２１８には第２方向ＤＩ２に沿って長く延長され、第１方向ＤＩ１に沿って並列に配置された第２プリズムパターン２１８ａが形成される。本実施形態において、第２プリズムパターン２１８ａは、出射面２１６方向に凹んだ溝であり、第１方向ＤＩ１に沿って互いに離隔して配置される。
【００７２】
光導入ボディ部２２０は、導光ボディ部２１０の入光面２１２から突出して光源ユニット３００と対向するように配置される。本実施形態で光導入ボディ部２２０は隣接する他の導光板２００の導光ボディ部２１０の対向面２１４の下部に配置される。
【００７３】
光源ユニット３００は、光導入ボディ部２２０と対向するように配置され、光を発生させて光導入ボディ部２２０に入射させる。光源ユニット３００は例えば、駆動基板３１０、及び少なくとも１つの発光チップ３２０を含む。
【００７４】
駆動基板３１０は、光源駆動ユニット５００と電気的に接続される。発光チップ３２０は、光導入ボディ部２２０の側面と対向するように駆動基板３１０上に配置され、駆動基板３１０によって制御されて光を発生させる。発光チップ３２０は、白色光を発生させるか、または赤光、緑光、及び青光を個別に発光させることができる。
【００７５】
反射シート４００は、導光ボディ部２１０の下部及び光導入ボディ部２２０の下部に配置することができる。
【００７６】
図１１及び図１２は、図１０の導光ブロックをＢ方向から眺めた際の側面図である。
図１１及び図１２を参照すると、反射面２１８は、第２プリズムパターン２１８ａ間に形成された複数の反射平面２１８ｂを含むことができる。
【００７７】
反射平面２１８ｂは、第２プリズムパターン２１８ａ間を接続し、出射面２１６と実質的に平行に形成することができる。これとは別に、反射平面２１８ｂ各々は、出射面２１６に対して傾くように形成することもできる。例えば、反射平面２１８ｂ各々は、第１方向ＤＩ１に沿って行くにつれて出射面２１６から遠くなるように傾いて形成することができる。
【００７８】
反射平面２１８ｂは、入光面２１２から対向面２１４へ行くにつれて出射面２１６に近くなる。即ち、反射平面２１８ｂは、第１方向ＤＩ１に沿って行くにつれて出射面２１６と近くなるように階段状に形成される。
【００７９】
図１１を参照すると、光導入ボディ部２２０に入射された光は、入光面２１２を通り過ぎて反射面２１８に形成された第２プリズムパターン２１８ａで全反射され、全反射された光は、出射面２１６で屈折して導光板２００の上部へ出射される。一方、図１１に示した導光板２００のうち、出射面２１６には光が出射されないか、または少ない光量が出射されるダーク領域（Ｄａｒｋ  Ｚｏｎｅ）が形成されることができる。
【００８０】
図１２を参照すると、第２プリズムパターン２１８ａは、導光ボディ部２１０の反射面２１８に形成するのみならず、光導入ボディ部２２０の下端面にも形成することができる。
【００８１】
このように、第２プリズムパターン２１８ａが、光導入ボディ部２２０の下面にも形成される場合、図１１においてのダーク領域を除去することができ、それによって、画像の表示品質をより向上させることができる。
【００８２】
本実施形態によると、出射面２１６に第１プリズムパターン２１６ａが形成され、反射面２１８に第２プリズムパターン２１８ａが形成されることによって導光ブロックＬＢ上に配置される第１及び第２プリズムシートを省略することができ、表示装置の製造費用をより減少させることができる。
【００８３】
このように本発明によると、導光ブロックが第１方向に沿って並列に配置されるか、または第１方向及び第１方向に実質的に直交する第２方向に沿ってマトリックス形態に配置され、導光ブロック各々はくさび形状の導光板及び導光板の側面に配置された光源ユニットを含む。それによって、このような導光ブロックを含む表示装置は輝度が増加した画像を表示しながらより薄い厚さを有することができる。
【００８４】
また、導光ブロック上に配置されるプリズムシートを省略することができ、表示装置の製造費用をより減少させることができる。
【００８５】
尚、本発明は、上述の実施形態に限られるものではない。本発明の技術的範囲から逸脱しない範囲内で多様に変更実施することが可能である。
【符号の説明】
【００８６】
１００      収納容器
１１０      収納底部
１２０      収納側部
２００      導光板
２１０      導光ボディ部
２１２      入光面
２１４      対向面
２１６      出射面
２１６ａ    第１プリズムパターン
２１８      反射面
２１８ａ    第２プリズムパターン
２１８ｂ    反射平面
２２０      光導入ボディ部
３００      光源ユニット
３１０      駆動基板
３２０      発光チップ
４００      反射シート
５００      光源駆動ユニット
６００      光学部材
７００      モールドフレーム
８００      表示パネル
８１０      第１基板
８２０      第２基板
８３０、８４０    第１及び第２偏光板
９００      トップシャーシ
ＢＬ      バックライトアセンブリ
ＤＤ      表示装置
ＬＢ      導光ブロック
【図１】
2009283465.tif 000003
【図２】
2009283465.tif 000004
【図３】
2009283465.tif 000005
【図４】
2009283465.tif 000006
【図５】
2009283465.tif 000007
【図６】
2009283465.tif 000008
【図７】
2009283465.tif 000009
【図８】
2009283465.tif 000010
【図９】
2009283465.tif 000011
【図１０】
2009283465.tif 000012
【図１１】
2009283465.tif 000013
【図１２】
2009283465.tif 000014